(57)【要約】      （修正有）【課題】上部をディスプレイパネルとして安定に利用しうる包装箱を提供する。【解決手段】前面部１０、左面部３０および右面部４０のそれぞれが、前切断補助線１２、左切断補助線３２０および右切断補助線４２０のそれぞれに沿って切断される。この上で、上面部５０が左切断補助線３２０および右切断補助線４２０のそれぞれの上端部の間で延在する基線において折り曲げられることにより包装箱が開放される。第１上面部５１および第２上面部５２が重なり合うように上面部５０が折り曲げられると、第１舌片Ｔ１および第２舌片Ｔ２が重なり合う。ここで、各舌片Ｔ１、Ｔ２が上面部５０に対して折り曲げられた状態が実現されることにより、一方の舌片Ｔ２（Ｔ１）が折り曲げられたことで上面部に形成された開口部に対して、他方の舌片Ｔ１（Ｔ２）を係合させる。【選択図】図３
2019119469.tif 000002
【特許請求の範囲】
【請求項１】
前面部、後面部、左面部、右面部、上面部および下面部を有する直方体状の包装箱であって、
前記前面部の上下方向の中間部分で前記前面部の左縁部から右縁部まで延在する前切断補助線が前記前面部に設けられ、
前記左面部の前縁部における前記前切断補助線の左端部に対応する位置から、前記左面部の上縁部における前後方向の中間部分まで延在する左切断補助線が前記左面部に設けられ、
前記右面部の前縁部における前記前切断補助線の右端部に対応する位置から、前記右面部の上縁部における前後方向の中間部分まで延在する右切断補助線が前記右面部に設けられ、
前記上面部において、前記上面部の左縁部における前記左切断補助線の上端部に対応する左端部から、前記上面部の右縁部における前記右切断補助線の上端部に対応する右端部まで延在する基線における当該左端部および当該右端部とは異なる左中間部から右中間部まで、前記基線を基準として前側および後側のうち少なくとも一方に延在する切込線、切断補助線またはこれらの組み合わせにより構成される上境界線が設けられていることを特徴とする包装箱。
【請求項２】
請求項１記載の包装箱において、
前記上面部において、前記上境界線のうち少なくとも一部が、前記基線を基準として前側および後側に交互にずれながら延在していることを特徴とする包装箱。
【請求項３】
請求項１記載の包装箱において、
前記上面部において、前記左中間部としての第１左中間部から前記右中間部としての第１右中間部まで、前記基線を基準として後側に延在する開曲線状の第１上境界線と、前記第１左中間部から離間している前記左中間部としての第２左中間部から、前記第１右中間部から離間している前記右中間部としての第２右中間部まで、前記基線を基準として後側に延在する開曲線状の第２上切断補助線と、が前記上切断補助線として設けられていることを特徴とする包装箱。
【請求項４】
請求項３記載の包装箱において、
前記上面部において、前記第２左中間部が前記第１左中間部の右側に配置され、前記第２右中間部が前記第１右中間部から左側に離間していることを特徴とする包装箱。
【請求項５】
請求項１〜４のうちいずれか１つに記載の包装箱において、
前記上面部において、前記基線に沿って前記左中間部から前記右中間部までの間の少なくとも一部に折線が設けられていることを特徴とする包装箱。
【請求項６】
請求項１〜５のうちいずれか１つに記載の包装箱において、
前記上面部において、前記基線によって区画される第１上面部および第２上面部のそれぞれに、前記基線から離間している前記基線を挟んで対応する箇所に配置された第１舌片および第２舌片のそれぞれを画定する一または複数の開曲線状の切込線、切断補助線またはこれらの組み合わせからなる第１境界線および第２境界線のそれぞれが設けられていることを特徴とする包装箱。
【請求項７】
請求項１〜６のうちいずれか１つに記載の包装箱において、
前記前切断補助線において離間している複数の場所から延在する切込線、切断補助線またはこれらの組み合わせにより構成される差込補助線が前記前面部に設けられていることを特徴とする包装箱。
【発明の詳細な説明】
【技術分野】
【０００１】
本発明は、包装箱に関する。
【背景技術】
【０００２】
内容物を取り出した後も包装箱全体を立てて室内に飾る置物とすることが可能であり、かつ、当該内容物を収納した状態から置物の状態にする包装箱が提案されている（特許文献１参照）。
【０００３】
折線を介して連なった第１の側パネル、底パネル、第２の側パネルおよび上パネルをそれらの間の折線に沿って同じ方向に折り曲げられ、第１の側パネルと上パネルとが接合されることにより、包装箱のうち相互に対向する上下両壁および一対の側壁が構成される。さらに、第１の側パネルおよび第２の側パネルの両側から延設された端接合フラップ、ならびに、底パネルおよび上パネルの両側からそれぞれ延設された第１の端フラップおよび第２の端フラップが各自の基部の折線に沿って同じ方向に折り曲げられ、第１の端フラップおよび第２の端フラップの両側に端接合フラップが重ね合わせられて固定される。第１の側パネルおよび第２の側パネル、ならびに、それらの両側にある第１の端接合フラップおよび第２の端接合フラップにわたりそれらの上下方向のほぼ中間部に切断補助線が設けられている。上パネルおよびその両側の第２の端パネルにわたりそれらの幅方向の中間部に切断補助線が設けられている。
【０００４】
第１の側パネルとその両側にある第１の端接合フラップが、これらの中間部に設けられた切断補助線に沿って切断される。さらに、上パネルの両側の第２の端パネルが、幅方向の中間部に設けられた切断補助線に沿って切断される。そして、上パネルの幅方向の中間部に設けた切断補助線に沿っては切断せずに連結した状態で包装箱の上部の半分を残しておく。この場合、包装箱の残した上部の半分が、切断補助線を基線として倒した状態で、商品陳列用のトレーとして利用される。
【先行技術文献】
【特許文献】
【０００５】
【特許文献１】特開２０１７−１８６０３８号公報
【発明の概要】
【発明が解決しようとする課題】
【０００６】
しかし、包装箱の上部そのものの機能性の観点から当該包装箱には改善の余地がある。
【０００７】
そこで、本発明は、包装箱の上部をトレーとして利用する際の機能性の向上を図りうる包装箱を提供することを目的とする。
【課題を解決するための手段】
【０００８】
本発明の包装箱は、前面部、後面部、左面部、右面部、上面部および下面部を有する直方体状の包装箱であって、前記前面部の上下方向の中間部分で前記前面部の左縁部から右縁部まで延在する前切断補助線が前記前面部に設けられ、前記左面部の前縁部における前記前切断補助線の左端部に対応する位置から、前記左面部の上縁部における前後方向の中間部分まで延在する左切断補助線が前記左面部に設けられ、前記右面部の前縁部における前記前切断補助線の右端部に対応する位置から、前記右面部の上縁部における前後方向の中間部分まで延在する右切断補助線が前記右面部に設けられ、前記上面部において、前記上面部の左縁部における前記左切断補助線の上端部に対応する左端部から、前記上面部の右縁部における前記右切断補助線の上端部に対応する右端部まで延在する基線における当該左端部および当該右端部とは異なる左中間部から右中間部まで、前記基線を基準として前側および後側のうち少なくとも一方に延在する切込線、切断補助線またはこれらの組み合わせにより構成される上境界線が設けられていることを特徴とする。
【発明の効果】
【０００９】
本発明の包装箱によれば、前面部、左面部および右面部のそれぞれが、前切断補助線、左切断補助線および右切断補助線のそれぞれに沿って切断される。上面部が上境界線に沿って部分的に切断される。上面部の前側の第１上面部および後側の第２上面部が重なり合うように、基線のうち少なくとも両端部付近（例えば、左端部およびこれに最も近い左中間部の間、および、右端部およびこれに最も近い右中間部の間）において上面部が折り曲げられるまたは谷折りされる。
【００１０】
上境界線のうち基線の後側にずれている部分がある場合、当該部分および基線により画定される後舌片を、第１上面部に連接した状態で基線よりも前方に張り出させ、あるいは、第１上面部から立ち上がるように折り曲げることができる。これにより、第１上面部および下側部分が重なり合うように折り曲げられた上面部において商品を載置させるスペースの拡張、あるいは、上方に折り曲げられた後舌片による当該商品の前方への変位の防止が図られる。
【００１１】
上境界線のうち基線の前側にずれている部分がある場合、当該部分および基線により画定される前舌片を、第２上面部に連接した状態で基線よりも前方に張り出させ、あるいは、第２上面部から垂れ下がるように折り曲げることができる。これにより、第１上面部および下側部分が重なり合うように折り曲げられた上面部において商品を載置させるスペースの拡張、あるいは、下方に折り曲げられた前舌片による当該上面部の下方で包装箱に収容されている商品の前方への変位の防止が図られる。
【図面の簡単な説明】
【００１２】
【図１】本発明の第１実施形態としての包装箱の展開図。
【図２】本発明の第１実施形態としての包装箱の上面部の詳細説明図。
【図３】本発明の第１実施形態としての包装箱の組み立てが完了した状態の斜視図。
【図４】本発明の第１実施形態としての包装箱の上部を商品陳列用のトレーとして利用する際の当該包装箱の斜視図。
【図５】本発明の第２実施形態としての包装箱の展開図。
【図６】本発明の第２実施形態としての包装箱の上面部の詳細説明図。
【図７】本発明の第２実施形態としての包装箱の上部を商品陳列用のトレーとして利用する際の当該包装箱の斜視図。
【発明を実施するための形態】
【００１３】
（第１実施形態）
（ブランクの構成）
図１には、本発明の第１実施形態としての包装箱のブランクが示されている。包装箱のブランクとしては、紙製の波状のシートからなる中芯がライナーでラミネートされた段ボール板が一般的に使用される。段ボール板の目方向は、例えば図１の上下方向に一致している。段ボール板が図１に実線で示されているように打ち抜かれると共に切込線が入れられ、一点鎖線で示されているように切断補助線（例えばミシン目により構成されている。）が入れられ、かつ、破線で示されているように折線が入れられることにより、組み立て前のブランクが得られる。図１に示されているブランクは包装箱の内側に相当し、折線は図１の紙面に対して谷折りされる。
【００１４】
図１に示されているブランクは、それぞれが略矩形状の前面部１０、後面部２０、上面部５０および下面部６０、右前フラップ３１、右後フラップ３２、右上フラップ３５、右下フラップ３６、左前フラップ４１、左後フラップ４２、左上フラップ４５、左下フラップ４６、および、連接フラップ２５を備えている。
【００１５】
前面部１０は、上側の長辺を介して上面部５０と連接され、下側の長辺を介して下面部６０と連接され、左側の短辺を介して右前フラップ３１と連接され、かつ、右側の短辺を介して左前フラップ４１と連接されている。前面部１０には、左縁部の中間部から右縁部の中間部まで、下側に膨らんでいる略円弧状に延在している前切断補助線１２が設けられている。前切断補助線１２は、直線状またはその他の曲線状であってもよい。前切断補助線１２は、例えば前面部１０の上縁部または下縁部を基準として、前面部１０の上下方向サイズの０．４〜０．６倍の範囲の領域に含まれている。前面部１０には、前切断補助線１２の中央部分から上方または斜め上方に延在する一方で上縁部に至らない３本の短い差込補助線１４が設けられている。差込補助線１４は、切込線、切断補助線またはこれらの組み合わせにより構成されている。
【００１６】
後面部２０は、上側の長辺を介して下面部６０と連接され、下側の長辺を介して連接フラップ２５と連接され、左側の短辺を介して右後フラップ３２と連接され、かつ、右側の短辺を介して左後フラップ４２と連接されている。後面部２０には、左縁部の中間部から右縁部の中間部まで、上側に膨らんでいる略円弧状に延在している後切断補助線２２が設けられている。後切断補助線２２は、直線状またはその他の曲線状であってもよい。後切断補助線２２は、例えば後面部２０の上縁部または下縁部を基準として、後面部１０の上下方向サイズの０．４〜０．６倍の範囲の領域に含まれている。後面部２０には、後切断補助線２２の中央部分から下方または斜め下方に延在する一方で下縁部に至らない３本の短い差込補助線２４が設けられている。差込補助線２４は、切込線、切断補助線またはこれらの組み合わせにより構成されている。
【００１７】
前面部１０および後面部２０は、切断補助線１２、２２、および差込補助線１４、２４の延在態様も含めて略合同である。
【００１８】
右前フラップ３１には、右縁部において前切断補助線１２の左端部に対応する位置から左縁部まで、略波線状に延在する右前切断補助線３１２が設けられている。右前切断補助線３１２は、右前フラップ３１の上縁部および下縁部に対して略平行に延在している。右前切断補助線３１２は、曲線状に延在していてもよく、右前フラップ３１の上縁部および下縁部に対して傾斜する直線状に延在していてもよい。右前切断補助線３１２は、例えば右前フラップ３１の上縁部または下縁部を基準として、右前フラップ３１の上下方向サイズの０．４〜０．６倍の範囲の領域に含まれている。
【００１９】
右後フラップ３２には、右縁部において後切断補助線２２の左端部に対応する位置から左縁部まで、略波線状に延在する右後切断補助線３２２が設けられている。右後切断補助線３２２は、右後フラップ３２の上縁部および下縁部に対して略平行に延在している。右後切断補助線３２２は、曲線状に延在していてもよく、右後フラップ３２の上縁部および下縁部に対して傾斜する直線状に延在していてもよい。右後切断補助線３２２は、例えば右後フラップ３２の上縁部または下縁部を基準として、右後フラップ３２の上下方向サイズの０．４〜０．６倍の範囲の領域に含まれている。
【００２０】
左前フラップ４１には、左縁部において前切断補助線１２の右端部に対応する位置から右縁部まで、略波線状に延在する左前切断補助線４１２が設けられている。左前切断補助線４１２は、左前フラップ４１の上縁部および下縁部に対して略平行に延在している。左前切断補助線４１２は、曲線状に延在していてもよく、左前フラップ４１の上縁部および下縁部に対して傾斜する直線状に延在していてもよい。左前切断補助線４１２は、例えば左前フラップ４１の上縁部または下縁部を基準として、左前フラップ４１の上下方向サイズの０．４〜０．６倍の範囲の領域に含まれている。
【００２１】
左後フラップ４２には、左縁部において後切断補助線２２の右端部に対応する位置から右縁部まで、略波線状に延在する左後切断補助線４２２が設けられている。左後切断補助線４２２は、左後フラップ４２の上縁部および下縁部に対して略平行に延在している。左後切断補助線４２２は、曲線状に延在していてもよく、左後フラップ４２の上縁部および下縁部に対して傾斜する直線状に延在していてもよい。左後切断補助線４２２は、例えば左後フラップ４２の上縁部または下縁部を基準として、左後フラップ４２の上下方向サイズの０．４〜０．６倍の範囲の領域に含まれている。
【００２２】
フラップ３１、３２、４１、４２は、切断補助線３１２、３２２、４１２、４２２の延在態様も含めて略合同である。
【００２３】
上面部５０は、左側の短辺を介して右上フラップ３５と連接され、かつ、右側の短辺を介して左上フラップ４５と連接されている。上面部５０には、図２に詳細に示されているように、上面部５０の左縁部における右上切込線３５２の上端部に対応する左端部ＰＬから、上面部５０の右縁部における左上切込線４５２の上端部に対応する右端部ＰＲまで延在する基線Ｌ０（図２／点線参照）における当該左端部ＰＬおよび当該右端部ＰＲとは異なる左中間部Ｐ１１から右中間部Ｐ１７まで、基線Ｌ０を基準として前側および後側に交互に延在する略波線状の上境界線Ｑが設けられている。上境界線Ｑは、切込線、切断補助線またはこれらの組み合わせにより構成されている。
【００２４】
上面部５０において略波線状の上境界線Ｑは相互に離間して配置されている中間部Ｐ１２〜Ｐ１６において基線Ｌ０と交差している。上境界線Ｑは区間Ｐ１１〜Ｐ１２、Ｐ１３〜Ｐ１４およびＰ１５〜Ｐ１６のそれぞれにおいて、上面部５０の基線Ｌ０の前側に延在し、当該区間において前舌片ＴＦ１〜ＴＦ３のそれぞれを画定する。その一方、上境界線Ｑは区間Ｐ１２〜Ｐ１３、Ｐ１４〜Ｐ１５およびＰ１６〜Ｐ１７のそれぞれにおいて、上面部５０の基線Ｌ０の後側に延在し、当該区間において後舌片ＴＲ１〜ＴＲ３のそれぞれを画定する。略波形状の上境界線Ｑの各周期（振動数）および振幅は任意に変更されてもよい。
【００２５】
上境界線Ｑの区画Ｐ１３〜Ｐ１４により画定される前舌片ＴＦ２の基部には基線Ｌ０に沿って折線が設けられている。上境界線Ｑの区画Ｐ１４〜Ｐ１５により画定される後舌片ＴＲ２の基部には基線Ｌ０に沿って折線が設けられている。
【００２６】
右上フラップ３５には、右縁部において折線部５２の左端部に対応する位置から左縁部まで、略直線状に延在する右上切込線３５２が設けられている。右上切込線３５２は、右上フラップ３５の上縁部および下縁部に対して略平行に延在している。左上フラップ４５には、左縁部において折線部５２の右端部に対応する位置から右縁部まで、略直線状に延在する左上切込線４５２が設けられている。左上切込線４５２は、左上フラップ４５の上縁部および下縁部に対して略平行に延在している。
【００２７】
下面部６０は、左側の短辺を介して下上フラップ３６と連接され、かつ、右側の短辺を介して左下フラップ４６と連接されている。
【００２８】
上面部５０は基線Ｌ０により、下側（包装箱の前側）の第１上面部５１および上側（包装箱の後側）の第２上面部５２のそれぞれに区画されている。基線Ｌ０が、上面部５０を略半分割している。第１上面部５１および第２上面部５２のそれぞれには、基線Ｌ０を挟んで対応する箇所に配置された第１舌片Ｔ１および第２舌片Ｔ２のそれぞれを画定する第１境界線Ｃ１および第２境界線Ｃ２のそれぞれが設けられている。本実施形態では、境界線Ｃ１、Ｃ２は、開曲線状の切込線からなるが、切断補助線または切込線および切断補助線の組み合わせからなっていてもよい。
【００２９】
上面部５０において、対をなす第１境界線Ｃ１および第２境界線Ｃ２のそれぞれが、基線Ｌ０から離間している開曲線により構成されている。また、上面部５０において、第１境界線Ｃ１および第２境界線Ｃ２のそれぞれが、基線Ｌ０に沿って延在する直線を回転軸線とする回転対称性を有する開曲線により構成されている。
【００３０】
具体的には、第１上面部５１には、左右方向に離間して配置されている一対の第１境界線Ｃ１が設けられ、第２上面部５２には、左右方向に離間して配置されている一対の第２境界線Ｃ２が設けられている。左側の第１境界線Ｃ１が左開きの略Ｕ字馬蹄形状であるのに対して、左側の第２境界線Ｃ２が同様に左開きの略Ｕ字馬蹄形状である。右側の第１境界線Ｃ１が右開きの略馬蹄形状であるのに対して、右側の第２境界線Ｃ２が同様に右開きの略馬蹄形状である。第１舌片Ｔ１および第２舌片Ｔ２のそれぞれは、境界線Ｃ１、Ｃ２の馬蹄の開き部分に相当する基部（折線）よりも連続的または断続的に幅広になるなど、基部に近い側に幅狭部を有し、先端部に近い側で幅広部を有するように形成されていてもよい。
【００３１】
なお、第１境界線Ｃ１および第２境界線Ｃ２のそれぞれが、基線Ｌ０に沿って延在する直線を回転軸線とする回転対称性を有していなくてもよい。例えば、対をなす第１境界線Ｃ１および第２境界線Ｃ２の略Ｕ字馬蹄形状の開く方向が異なっていてもよい。対をなす第１境界線Ｃ１および第２境界線Ｃ２の略Ｕ字馬蹄形状の開く方向が同一である一方、第１境界線Ｃ１および第２境界線Ｃ２が合同でなくてもよい。第１舌片Ｔ１および第２舌片Ｔ２の対の数は「２」以外にも「１」であってもよく、「３」以上の複数（例えば「４」）であってもよい。
【００３２】
後面部２０において後切断補助線２２および差込補助線２４が省略され、右後フラップ３２において右後切断補助線３２２が省略され、左後フラップ４２において左後切断補助線４２２が省略されてもよい。
【００３３】
上面部５０において、第１境界線Ｃ１および第２境界線Ｃ２、ひいては第１舌片Ｔ１および第２舌片Ｔ２が省略されてもよい。
【００３４】
（包装箱の組み立て）
図１に示されているブランクから、図２に示されている包装箱を組み立てる方法の一例について説明する。当該一例とは異なる手順にしたがって当該包装箱が組み立てられてもよい。
【００３５】
まず、下面部６０に対して前面部１０および後面部２０のそれぞれが垂直に折れ曲がるまたは立ち上がるように、下面部６０と前面部１０および後面部２０のそれぞれとの折線に沿ってブランクが谷折りされる。この段階で下面部６０に商品が載置されてもよい。次に、前面部１０に対して右前フラップ３１および左前フラップ４１のそれぞれが垂直に折れ曲がるように、前面部１０と右前フラップ３１および左前フラップ４１のそれぞれとの折線に沿ってブランクが谷折りされる。同様に、後面部２０に対して右後フラップ３２および左後フラップ４２のそれぞれが垂直に折れ曲がるように、後面部３０と右後フラップ３２および左後フラップ４２のそれぞれとの折線に沿ってブランクが谷折りされる。
【００３６】
下面部６０に対して右下フラップ３６および左下フラップ４６のそれぞれが垂直に折れ曲がるまたは立ち上がるように、下面部６０と右下フラップ３６および左下フラップ４６のそれぞれとの折線に沿ってブランクが谷折りされる。これにより、右下フラップ３６と右前フラップ３１および右後フラップ３２のそれぞれの下部とが重ね合わせられる。そして、右下フラップ３６と右前フラップ３１および右後フラップ３２のそれぞれの下部とが接着されることにより包装箱の左面部３０の下部が構成される。同様に、左下フラップ４６と左前フラップ４１および左後フラップ４２のそれぞれの下部とが重ね合わせられる。そして、左下フラップ４６と左前フラップ４１および左後フラップ４２のそれぞれの下部とが接着されることにより包装箱の右面部４０の下部が構成される。
【００３７】
続いて、上面部５０に対して右上フラップ３５および左上フラップ４５のそれぞれが垂直に折れ曲がるまたは垂れ下がるように、下面部６０と右下フラップ３６および左下フラップ４６のそれぞれとの折線に沿ってブランクが谷折りされる。この状態から、上面部５０が前面部１０に対して垂直に折り曲げられるように、上面部５０と前面部１０との折線に沿ってブランクが谷折りされる。
【００３８】
さらに、上面部５０に対して右上フラップ３５および左上フラップ４５のそれぞれが垂直に折れ曲がるまたは垂れ下がるように、上面部５０と右上フラップ３５および左上フラップ４５との折線に沿ってブランクが谷折りされる。これにより、右上フラップ３５と右前フラップ３１および右後フラップ３２のそれぞれの上部とが重ね合わせられる。そして、右上フラップ３５と右前フラップ３１および右後フラップ３２のそれぞれの上部とが接着されることにより、包装箱の左面部３０の上部が構成され、前記下部と合わせて当該左面部３０の全体が構成される。同様に、左上フラップ４５と左前フラップ４１および左後フラップ４２のそれぞれの上部とが重ね合わせられる。そして、左上フラップ４５と左前フラップ４１および左後フラップ４２のそれぞれの上部とが接着されることにより、包装箱の右面部４０の上部が構成され、前記下部と合わせて当該右面部４０の全体が構成される。
【００３９】
これらの手順により図２に示されている包装箱が完成する。
【００４０】
前記のように構成される包装箱の左面部３０には、右前フラップ３１に設けられた右前切断補助線３１２および右上フラップ３５に設けられた右上切込線３５２によって構成される左切断補助線３２０が設けられている。左切断補助線３２０は、左面部３０において前縁部の前切断補助線１２の左端部に対応する中間位置から上縁部の中間位置まで略Ｌ字形状に延在しているが、切断補助線３１２および３５２の延在態様が変更されることにより、円弧状などその他の曲線状または直線状に延在していてもよい。
【００４１】
前記のように構成される包装箱の右面部４０には、左前フラップ４１に設けられた左前切断補助線４１２および左上フラップ４５に設けられた左上切込線４５２によって構成される右切断補助線４２０が設けられている。右切断補助線４２０は、右面部４０において前縁部の前切断補助線１２の右端部に対応する中間位置から上縁部の中間位置まで略Ｌ字形状に延在しているが、切断補助線４１２および４５２の延在態様が変更されることにより、円弧状などその他の曲線状または直線状に延在していてもよい。
【００４２】
（包装箱の利用方法）
図２に示されている包装箱の利用方法の一実施形態について説明する。前面部１０、左面部３０および右面部４０のそれぞれが、前切断補助線１２、左切断補助線３２０および右切断補助線４２０のそれぞれに沿って破断される。この際、差込補助線１４の箇所で前面部１０を局所的に内側に押し込まれることで、当該押し込まれた箇所を前面部１０の破断の手掛かりとすることができる。
【００４３】
上面部５０が基線Ｌ０において第１上面部５１および第２上面部５２が上下に重なり合うように上面部５０が折り曲げられる（図３参照）。このように折り曲げられた上面部５０に商品が載置される。後舌片ＴＲ１〜ＴＲ３を、第１上面部５１に連接した状態で基線Ｌ０よりも少なくとも部分的に前方に張り出させることができる。前舌片ＴＦ１〜ＴＦ３を、第２上面部５２に連接した状態で基線Ｌ０よりも前方に張り出させることができる。これにより、第１上面部５１および下側部分５２が重なり合うように折り曲げられた上面部５０において商品を載置させるスペースの拡張が図られる。
【００４４】
後舌片ＴＲ１〜ＴＲ３が上面部１０の第１上面部５１から立ち上がるように折り曲げられることにより、第１上面部５１および下側部分５２が重なり合うように折り曲げられた上面部５０に載置された商品の前方への変位の防止が図られる。前舌片ＴＦ１〜ＴＦ３が第２上面部５２から垂れ下がるように折り曲げられることにより、当該上面部５０の下方で包装箱に収容されている商品の前方への変位の防止が図られる。
【００４５】
位相をずらして上下に重ね合わせられた後舌片ＴＲ１〜ＴＲ３および前舌片ＴＦ１〜ＴＦ３により包装箱の意匠性の向上が図られる。後舌片ＴＲ１〜ＴＲ３および前舌片ＴＦ１〜ＴＦ３のうち少なくとも１つがポップ広告の掲載スペースとして利用されてもよい。
【００４６】
第１舌片Ｔ１および第２舌片Ｔ２は、基線Ｌ０を挟んで対応する箇所に配置されているので、第１上面部５１および第２上面部５２が上下に重なり合うことで同様に上下に重なり合う。この状態で、重なっている第１舌片Ｔ１および第２舌片Ｔ２をまとめて下方に押し下げることにより、図３および図４に示されているように、第１舌片Ｔ１が基部（または折線）において第１上面部５１に対して下方に折り曲げられ、第２舌片Ｔ２が基部（または折線）において第２上面部５２に対して下方に折り曲げられた状態が実現される。第１舌片Ｔ１の折り曲げにより第１上面部５１には第１開口部Ｏ１が形成され、第２舌片Ｔ２の折り曲げにより第２上面部５２に第２開口部Ｏ２が形成される。
【００４７】
第１舌片Ｔ１を第２開口部Ｏ２に係合させることにより、第１上面部５１が包装箱を再び閉じる方向に動くことが防止され、包装箱の上部が商品陳列用のトレーとして安定に利用されうる。
【００４８】
前記のように第１舌片Ｔ１および第２舌片Ｔ２のそれぞれが基部に近い側に幅狭部を有し、先端部に近い側で幅広部を有するように形成されている場合、第１舌片Ｔ１の幅広部が第２開口部Ｏ２の幅狭部に係合することによって、第１舌片Ｔ１が第２開口部Ｏ２から外れることが防止される。
【００４９】
（第２実施形態）
（ブランクの構成）
図５には、本発明の第２実施形態としての包装箱のブランクが示されている。第２実施形態では、上面部５０には、図６に詳細に示されているように、基線Ｌ０において左右に離間している第１左中間部Ｐ２１および第１右中間部Ｐ２４を両端部とし、基線Ｌ０の後側で略半環状に延在する第１上境界線Ｑ１が設けられている。基線Ｌ０において第１左中間部Ｐ２１および第１右中間部Ｐ２４の中間にある第２左中間部Ｐ２２および第２右中間部Ｐ２３を両端部とし、基線Ｌ０の前側で略半環状に延在する第２上境界線Ｑ２が設けられている。第１上境界線Ｑ１および第２上境界線Ｑ２のそれぞれは、切込線、切断補助線またはこれらの組み合わせにより構成されている。
【００５０】
第１上境界線Ｑ１により、中央部において上端部が凸曲面状または円弧状に盛り上がった横長の略矩形状の後舌片ＴＲが画定されている。第２上境界線Ｑ２により、下端部が左右に張り出した縦長の略矩形状の前舌片ＴＦが画定されている。上面部５０には、基線Ｌ０に沿って区画Ｐ２２〜Ｐ２３を除いて折線が設けられている。
【００５１】
第２実施形態のブランクのその他の構成については、第１実施形態のブランクと同様であるため、当該同様の構成については同一符号を用いるとともに説明を省略する。
【００５２】
（包装箱の組み立て）
図５に示されているブランクから、包装箱を組み立てる方法については第１実施形態とほぼ同様であるため、説明を省略する。
【００５３】
（包装箱の利用方法）
図５に示されているブランクから組み立てられた包装箱の利用方法の一実施形態について説明する。前面部１０、左面部３０および右面部４０のそれぞれが、前切断補助線１２、左切断補助線３２０および右切断補助線４２０のそれぞれに沿って破断される。この際、差込補助線１４の箇所で前面部１０を局所的に内側に押し込まれることで、当該押し込まれた箇所を前面部１０の破断の手掛かりとすることができる。
【００５４】
上面部５０が基線Ｌ０において第１上面部５１および第２上面部５２が上下に重なり合うように上面部５０が折り曲げられる（図３参照）。このように折り曲げられた上面部５０に商品が載置される。後舌片ＴＲが上面部１０の第１上面部５１から立ち上がるように折り曲げられることにより、第１上面部５１および下側部分５２が重なり合うように折り曲げられた上面部５０に載置された商品の前方への変位の防止が図られる。前舌片ＴＦが後舌片ＴＲに連接しているので、後舌片ＴＲが上面部１０の第１上面部５１から立ち上がるように折り曲げられることにより前舌片ＴＦは第２上面部５２から垂れ下がる。これにより、当該上面部５０の下方で包装箱に収容されている商品の前方への変位の防止が図られる。
【００５５】
後舌片ＴＲおよび前舌片ＴＦにより包装箱の意匠性の向上が図られる。後舌片ＴＲおよび前舌片ＴＦのうち少なくとも１つがポップ広告の掲載スペースとして利用されてもよい。この状態で前舌片ＴＦの前方を抑えるように商品が下面部６０に載置されている場合、前舌片ＴＦに連接されている後舌片ＴＲが後方に倒れずに第２上面部５２に対して起立した状況が維持される。これにより、前舌片ＴＦの裏面に掲載されたポップ広告が定常的に視認可能な状態が維持される。
【００５６】
第１舌片Ｔ１を第２開口部Ｏ２に係合させることにより、第１上面部５１が包装箱を再び閉じる方向に動くことが防止され、包装箱の上部が商品陳列用のトレーとして安定に利用されうる。
【００５７】
（本発明の他の実施形態）
前記実施形態では図１または図５に示されているブランクから包装箱が組み立てられたが、他の実施形態として、これらとは異なるさまざまな形態のブランクから図２に示されているような略直方体状の包装箱が組み立てられてもよい。
【符号の説明】
【００５８】
１０‥前面部、１２‥前切断補助線、１４‥差込補助線、２０‥後面部、２２‥後切断補助線、２４‥差込補助線、３０‥左面部、３１‥左前フラップ、３２‥左後フラップ、３５‥左上フラップ、３６‥左下フラップ、４０‥右面部、４１‥右前フラップ、４２‥右後フラップ、４５‥右上フラップ、４６‥右下フラップ、５０‥上面部、５１‥第１上面部、５２‥第２上面部、６０‥下面部、３１２‥左前切断補助線、３２０‥左切断補助線、３２２‥左後切込線、３５２‥左上切込線、４１２‥右前切断補助線、４２０‥右切断補助線、４２２‥右後切込線、４５２‥右上切込線、Ｃ‥境界線、Ｃ１‥第１境界線、Ｃ２‥第２境界線、Ｆ０‥折曲補助線、Ｌ０‥上面の基線、Ｔ１‥第１舌片、Ｔ２‥第２舌片、ＴＦ、ＴＦ１、ＴＦ２、ＴＦ３‥前舌片、ＴＲ、ＴＲ１、ＴＲ２、ＴＲ３‥後舌片、Ｏ１‥第１開口部、Ｏ２‥第２開口部、Ｑ‥上境界線、Ｑ１‥第１上境界線、Ｑ２‥第２上境界線。
【図１】
2019119469.tif 000003
【図２】
2019119469.tif 000004
【図３】
2019119469.tif 000005
【図４】
2019119469.tif 000006
【図５】
2019119469.tif 000007
【図６】
2019119469.tif 000008
【図７】
2019119469.tif 000009